(57)【要約】【課題】  安価な構成で表示品位の高い画面切り替え表示ができる車両用表示装置を提供する。【解決手段】  本実施形態に係る車両用表示装置１は、画像表示手段３と、画像表示手段３に画像を表示させる制御手段４と、を備えた車両用表示装置１であって、制御手段４は、第１タイトル画像３０ａと第１コンテント画像３０ｂとを有する第１画面３０から、第２タイトル画像３１ａと第２コンテント画像３１ｂとを有する第２画面３１へ切り替えるにあたって、第１画面３０の輝度を減衰させる第１手順Ｓ２と、第１コンテント画像３０ｂを非表示にし、第１コンテント画像３０ｂが非表示とされた領域の所定箇所に第２画面３１の一部を表示させる第２手順Ｓ３，Ｓ４，Ｓ５と、第１タイトル画像３０ａを非表示にし、前記第２画面をすべて表示させる第３手順Ｓ６と、を実行する。【選択図】  図３
2016223988.tif 000002
【特許請求の範囲】
【請求項１】
画像表示手段と、前記画像表示手段に画像を表示させる制御手段と、を備えた車両用表示装置であって、
前記制御手段は、
第１タイトル画像と第１コンテント画像とを有する第１画面から、第２タイトル画像と第２コンテント画像とを有する第２画面へ切り替えるにあたって、
前記第１画面の輝度を減衰させる第１手順と、
前記第１コンテント画像を非表示にし、前記第１コンテント画像が非表示とされた領域の所定箇所に前記第２画面の一部を表示させる第２手順と、
前記第１タイトル画像を非表示にし、前記第２画面をすべて表示させる第３手順と、
を実行することを特徴とする車両用表示装置。
【発明の詳細な説明】
【技術分野】
【０００１】
本発明は、車両情報を画像表示する車両用表示装置に関する。
【背景技術】
【０００２】
各種情報を画面を切り替えて表示する車両用表示装置として、例えば、特許文献１に開示されたものがある。この車両用表示装置は、車両の走行速度等の車両情報を表示する第１画面と、車両に関係しないエンターテイメント系情報を表示する第２画面と、をスライドイン／アウトやフェードイン／アウトさせて切り替えることにより、車両運転者に違和感なくこれらの情報を認知させるものである。
【先行技術文献】
【特許文献】
【０００３】
【特許文献１】特開２０１４−１７７１６６号公報
【発明の概要】
【発明が解決しようとする課題】
【０００４】
しかしながら、特許文献１に開示されるような表示品位の高い画面切り替え表現を実施するためには、画面の重ねあわせ演算が可能な複数のレイヤを定義できる描画機能を有するマイコンを採用しなければならず、製品コストが高くなってしまうという課題を有している。
【０００５】
本発明は、上述した課題に鑑みてなされたものであり、安価な構成で表示品位の高い画面切り替え表示ができる車両用表示装置を提供することを目的とする。
【課題を解決するための手段】
【０００６】
本発明に係る車両用表示装置は、
画像表示手段と、前記画像表示手段に画像を表示させる制御手段と、を備えた車両用表示装置であって、
前記制御手段は、
第１タイトル画像と第１コンテント画像とを有する第１画面から、第２タイトル画像と第２コンテント画像とを有する第２画面へ切り替えるにあたって、
前記第１画面の輝度を減衰させる第１手順と、
前記第１コンテント画像を非表示にし、前記第１コンテント画像が非表示とされた領域の所定箇所に前記第２画面の一部を表示させる第２手順と、
前記第１タイトル画像を非表示にし、前記第２画面をすべて表示させる第３手順と、
を実行することを特徴とする。
【発明の効果】
【０００７】
本発明によれば、安価な構成で表示品位の高い画面切り替え表示ができる車両用表示装置を提供できる。
【図面の簡単な説明】
【０００８】
【図１】本発明の一実施形態に係る車両用表示装置の外観正面図。
【図２】同実施形態に係る車両用表示装置の電気的構成図。
【図３】同実施形態に係る車両用表示装置の画面切り替え手順を示す図。
【発明を実施するための形態】
【０００９】
以下、本発明に係る一実施形態について図面を参照して説明する。
【００１０】
本発明の一実施形態に係る車両用表示装置１は、図１に示すように、指針式計器２と画像表示手段３とを併用して、車両の走行速度やエンジン回転数、現在時刻やオーディオ情報などの情報を表示するものである。
【００１１】
車両用表示装置１は、図２に示すように、指針式計器２と、画像表示手段３と、制御手段４と、車両情報入力手段５と、操作手段６と、から主に構成される。
【００１２】
指針式計器２は、図形や数字からなる指標が印刷された文字板上の所定箇所を指針で回動指示することで、所定の計測値を表示する計器である。指針式計器２は、図１に示すように、車両の走行速度を表示する速度計と、車両のエンジン回転数を表示するエンジン回転計と、から構成される。
【００１３】
画像表示手段３は、例えば、液晶表示器や有機ＥＬ表示器などである。画像表示手段３は、制御手段４からの制御信号に応じて所定の画像を表示する。
【００１４】
制御手段４は、ＣＰＵと、ＣＰＵが動作させるプログラムおよび画像表示手段３に表示させる各種画像データを格納するメモリと、時間を計時するタイマと、を有するマイクロコントローラが実装された回路基板で構成される。制御手段４は、車両用表示装置１の全体の制御を行うものであり、車両情報入力手段５から得た車両情報や、タイマで計時した時刻等を、指針式計器２と画像表示手段３に各種情報を表示させる。
【００１５】
車両情報入力手段５は、例えば、ＣＡＮ（Controller Area Network）などの車内ネットワークであり、車両の走行速度やエンジン回転数、各種車両機器の傾向情報等の車両情報を制御手段４に入力する。
【００１６】
操作手段６は、スイッチやタッチパネルなどの車両の搭乗者が触れて操作するものであり、画像表示手段３が表示している画面の切り替え要求を制御手段４に入力する。
【００１７】
次に、本発明の特徴である画像表示手段３に表示される画面の切り替え手順について、図３を参照して説明する。制御手段４は、現在の時刻を表示する第１画面３０から、車両の燃費を表示する第２画面３１へと、図３の各ステップＳ１〜Ｓ６の表示を５０ｍｓ（ミリ秒）ごとに切り替えて画像表示手段３に表示させる。
【００１８】
（ステップＳ１）
制御手段４は、現在の時刻を表示する第１画面３０として、第１画面３０の題目を示す第１タイトル画像３０ａと、第１画面３０の内容を示す第１コンテント画像３０ｂと、を画像表示手段３に表示している。制御手段４は、操作手段６から画面の切り替え要求が入力されると、第１画面３０から、車両の燃費を表示する第２画面３１へ画面を切り替えるべくステップＳ２の表示を開始する。
【００１９】
（ステップＳ２）
制御手段４は、第１画面３０の表示輝度を減衰させる。つまり、第１タイトル画像３０ａと第１コンテント画像３０ｂが暗く表示される。この表示輝度の減衰は段階的に徐々に行うことが好ましい。
【００２０】
（ステップＳ３）
制御手段４は、ステップＳ２の表示を終えると、第１コンテント画像３０ｂの表示を非表示とし、第１コンテント画像３０ｂが表示されていた領域の下端に、第２画面の題目を示す第２タイトル画像３１ａを表示させ、第１コンテント画像３０ｂが表示されていた領域の第２タイトル画像３１ａが表示されていない領域に、ステップＳ２で表示輝度が減衰された第２コンテント画像３１ｂの背景である第１空白画像３０ｃを表示する。
【００２１】
（ステップＳ４）
制御手段４は、ステップＳ３の表示を終えると、ステップＳ２時点で第１コンテント画像３０ｂが表示されていた領域の上端に向かうように、第２タイトル画像３１ａを移動させると共に、ステップＳ２時点で第１コンテント画像３０ｂが表示されていた領域の第２タイトル画像３１ａの下方に、第２画面の内容を示す第２コンテント画像３１ｂの背景である第２空白画像３１ｃを表示し、ステップＳ２時点で第１コンテント画像３０ｂが表示されていた領域の第２タイトル画像３１ａの上方に、第１空白画像３０ｃを表示する。
【００２２】
（ステップＳ５）
制御手段４は、ステップＳ４において、第２タイトル画像３１ａがステップＳ２時点で第１コンテント画像３０ｂが表示されていた領域の上端に達した表示を終えると、ステップＳ２時点で第１タイトル画像３０ａが表示されていた領域に第２タイトル画像３１ａを表示させ、ステップＳ２時点で第１コンテント画像３０ｂが表示されていた領域全体に第２空白画像３１ｃを表示させる。
【００２３】
（ステップＳ６）
制御手段４は、ステップＳ５の表示を終えると、ステップＳ５時点で第２空白画像３１ｃが表示されていた領域に、第２コンテント画像３１ｂを表示させる。
【００２４】
以上のように、本実施形態に係る車両用表示装置１は、画像表示手段３と、画像表示手段３に画像を表示させる制御手段４と、を備えた車両用表示装置１であって、制御手段４は、第１タイトル画像３０ａと第１コンテント画像３０ｂとを有する第１画面３０から、第２タイトル画像３１ａと第２コンテント画像３１ｂとを有する第２画面３１へ切り替えるにあたって、第１画面３０の輝度を減衰させる第１手順Ｓ２と、第１コンテント画像３０ｂを非表示にし、第１コンテント画像３０ｂが非表示とされた領域の所定箇所に第２画面３１の一部を表示させる第２手順Ｓ３，Ｓ４，Ｓ５と、第１タイトル画像３０ａを非表示にし、前記第２画面をすべて表示させる第３手順Ｓ６と、を実行する。
これによれば、第１画面３０の上を第２画面３１が重なるように切り替わる表示品位の高い表現を、画面の重ねあわせ演算が可能な複数のレイヤが定義できない安価なマイコンで実施できる。
【００２５】
以上、本発明の一実施形態を説明した。本発明は上記の実施形態（図面の内容を含む）によって限定されるものでない。本発明の主旨に従う範囲で、上記の実施形態に変更（構成要素の削除も含む）を加えることができる。
【００２６】
例えば、本発明の一実施形態においては、現在の時刻を表示する第１画面３０から車両の燃費を表示する第２画面３１へと切り替え表示を行うにあたって、ステップＳ２で切り替わり元の第１画面３０の表示輝度を減衰させる構成としたが、これに限らず、第１画面３０から第２画面３１に切り替わるまでのステップＳ２からステップＳ５の間、第１画面３０および第２画面３１の両者の表示輝度を減衰させるものであってもよい。
【符号の説明】
【００２７】
１    ：車両用表示装置
２    ：指針式計器
３    ：画像表示手段
３０  ：第１画面
３０ａ：第１タイトル画像
３０ｂ：第１コンテント画像
３０ｃ：第１空白画像
３１  ：第２画面
３１ａ：第２タイトル画像
３１ｂ：第２コンテント画像
３１ｃ：第２空白画像
４    ：制御手段
５    ：車両情報入力手段
６    ：操作手段
【図１】
2016223988.tif 000003
【図２】
2016223988.tif 000004
【図３】
2016223988.tif 000005